(57)【要約】【課題】構成物数が少なく、組み付けおよび取り付けが容易なロールペーパーホルダーを提供する。【解決手段】ぺーパーカッターと、ペーパー芯の支持用アームと、取付基台とを含み、前記ペーパーカッターが前記取付基台に設けられた軸部に回動可能に軸止されてなるロールペーパーホルダーであって、前記ペーパーカッターは、その端部が開放端となっている円弧状軸受部を有し、前記取付基台の軸部表面には、前記取付基台を、前記円弧状軸受部の開放端に嵌合した後、該軸受部内部側に回動させ、次いで軸受部内に押込むことにより、前記ペーパーカッターを軸止する溝部が形成されてなることを特徴とするロールペーパーホルダーである。【選択図】図１
2010184019.tif 000002
【特許請求の範囲】
【請求項１】
ぺーパーカッターと、ペーパー芯の支持用アームと、取付基台とを含み、前記ペーパーカッターが前記取付基台に設けられた軸部に回動可能に軸止されてなるロールペーパーホルダーであって、
前記ペーパーカッターは、その端部が開放端となっている円弧状軸受部を有し、
前記取付基台の軸部表面には、前記取付基台を、前記円弧状軸受部の開放端に嵌合した後、該軸受部内部側に回動させ、次いで軸受部内に押込むことにより、前記ペーパーカッターを軸止する溝部が形成されてなる
ことを特徴とするロールペーパーホルダー。
【請求項２】
前記取付基台が前記支持用アームの固定部を有し、前記支持用アームが前記取付基台の固定部に固定されてなる請求項１に記載のロールペーパーホルダー。
【請求項３】
ぺーパーカッターと、ペーパー芯の支持用アームと、取付基台とを含むロールペーパーホルダー組立セットであって、
前記ペーパーカッターは、その端部が開放端となっている円弧状軸受部を有し、
前記取付基台は、前記ペーパーカッターを回動可能に軸止するための軸部と前記支持用アームを固定するための固定部とを有するとともに、
前記取付基台の軸部表面には、前記取付基台を、前記円弧状軸受部の開放端に嵌合した後、該軸受部内部側に回動させ、次いで軸受部内に押込むことにより、前記ペーパーカッターを軸止する溝部が形成されてなる
ことを特徴とするロールペーパーホルダー組立セット。
【請求項４】
前記ペーパーカッターが取付基台に対して回動可能に軸止されることにより、仮組みされた状態にある請求項３に記載のロールペーパーホルダー組立セット。
【発明の詳細な説明】
【技術分野】
【０００１】
本発明は、ロールペーパーホルダーおよびロールペーパーホルダー組立セットに関する。
【背景技術】
【０００２】
従来より、トイレ内の便座付近の壁面にはロールペーパーを回転可能に保持したロールペーパーホルダーが取り付けられている（例えば、特許文献１（特開昭６３−２３６３０号公報）参照）。
【０００３】
図１４に例示するように、従来のロールペーパーホルダー１０１（図１４（ｆ）参照）は、その構成部品を組み付ける際に、先ず、ペーパーカッター１０２の軸受部１０７に円環状緩衝部材１０９を配置した上で（図１４（ａ）参照）、ペーパー芯の支持用アーム１０３の軸部１０５を上記軸受部１０７に挿入し（図１４（ｂ）参照）、その後軸受部１０７に上記軸部１０５を螺子止めすることによりペーパーカッターに支持用アームが固定され（図１４（ｃ）参照）、組み付けられる。そして、ロールペーパーホルダーの壁面への取り付けに際しては、固定具１０６（図１４（ｃ）参照）を上記ペーパーカッターと支持用アームの固定部に螺子等で固定した上で、固定具１０６に設けられた螺子穴を利用して壁面に螺子止めされ、取り付けられる（図１４（ｄ）、（ｅ）参照）。
【０００４】
このようにして、ペーパー芯の支持用アーム１０３の軸部１０５に対して、ペーパーカッター１０２を円環状緩衝部材１０９を介して回動可能に軸止したロールペーパーホルダー１０１が組み付けられ、取り付けられている。
【先行技術文献】
【特許文献】
【０００５】
【特許文献１】特開昭６３−２３６３０号公報
【発明の概要】
【発明が解決しようとする課題】
【０００６】
このように、従来のロールペーパーホルダーにおいては、構成部品数が多いとともに、組み付け工程が複雑であることにより、製造コストが高くなるという技術課題が存在していた。特に、ロールペーパーホルダーの構成部品としては、耐久性や美観性の観点からステンレス鋼等からなる金属製のものが使用される場合が多いが、金属製部品は、一般に複雑な機械成形が困難であることから、部品点数を減少させ難く、上記技術課題が顕在化し易い傾向にある。
【０００７】
また、支持用アーム１０３として、図１４（ｂ）等に示すように、一方の端部が開放端を成すＬ字状のものを使用する場合、図１４では開放端が図の右側を向くように取り付けていているが、ロールペーパーホルダーの取付箇所および使用状況によっては、開放端を反対に向けて（開放端を図１４の左側に向けて）取り付けたい場合がある。この場合、図１４（ｃ）に示すペーパーカッター１０２と軸部１０５を固定するために締め付けた螺子を取り外した上で、軸部１０５を引き抜き、その後、図１４（ｂ）に示す軸部１０５の挿入方向とは反対方向から（図１４（ｂ）の右側から）軸部１０５を軸受部１０７に挿入し直し、螺子止めし直して、ペーパーカッター１０２に支持用アーム１０３を固定し直す必要があることから、取り付け時の作業が煩雑になるという技術課題が存在する。
【０００８】
このような状況下、本発明は、構成部品（構成物）数が少なく、組み付けおよび取り付けが容易なロールペーパーホルダーおよびロールペーパーホルダー組立セットを提供することを目的とするものである。
【課題を解決するための手段】
【０００９】
上記技術課題を解決するために、本発明者が鋭意検討したところ、ペーパー芯の支持用アームとともに、ペーパーカッターとして、その端部が開放端となっている円弧状軸受部を有するものを用いつつ、取付基台として、ペーパーカッターを回動可能に軸止するための軸部を有し、該軸部表面には、取付基台を、円弧状軸受部の開放端に嵌合した後、軸受部内部側に回動させ、次いで軸受部内に押込むことにより、前記ペーパーカッターを軸止する溝部が形成されてなるものを用い、これらペーパー芯の支持用アーム、ペーパーカッターおよび取付基台等によってロールペーパーホルダーを成すことにより、上記技術課題を解消し得ることを見出し、本知見に基づいて本発明を完成するに至った。
【００１０】
すなわち、本発明は、
（１）ぺーパーカッターと、ペーパー芯の支持用アームと、取付基台とを含み、前記ペーパーカッターが前記取付基台に設けられた軸部に回動可能に軸止されてなるロールペーパーホルダーであって、
前記ペーパーカッターは、その端部が開放端となっている円弧状軸受部を有し、
前記取付基台の軸部表面には、前記取付基台を、前記円弧状軸受部の開放端に嵌合した後、該軸受部内部側に回動させ、次いで軸受部内に押込むことにより、前記ペーパーカッターを軸止する溝部が形成されてなる
ことを特徴とするロールペーパーホルダー、
（２）前記取付基台が前記支持用アームの固定部を有し、前記支持用アームが前記取付基台の固定部に固定されてなる上記（１）に記載のロールペーパーホルダー、
（３）ぺーパーカッターと、ペーパー芯の支持用アームと、取付基台とを含むロールペーパーホルダー組立セットであって、
前記ペーパーカッターは、その端部が開放端となっている円弧状軸受部を有し、
前記取付基台は、前記ペーパーカッターを回動可能に軸止するための軸部と前記支持用アームを固定するための固定部とを有するとともに、
前記取付基台の軸部表面には、前記取付基台を、前記円弧状軸受部の開放端に嵌合した後、該軸受部内部側に回動させ、次いで軸受部内に押込むことにより、前記ペーパーカッターを軸止する溝部が形成されてなる
ことを特徴とするロールペーパーホルダー組立セット、
（４）前記ペーパーカッターが取付基台に対して回動可能に軸止されることにより、仮組みされた状態にある上記（３）に記載のロールペーパーホルダー組立セット、
を提供するものである。
【発明の効果】
【００１１】
本発明によれば、ペーパーカッターを壁面に固定する取付具としての機能を有する取付基台に、さらにロールペーパーホルダーを軸止するための軸部を設けるとともに、上記軸部表面において、上記取付基台をペーパーカッターの端部に設けられた円弧状軸受部の開放端に嵌合した後、該軸受部内部側に回動させ、次いで軸受部内に押込むことによりペーパーカッターを軸止する溝部を設けることにより、構成部品（構成物）数が少なく、組み付けおよび取り付けが容易なロールペーパーホルダーおよびロールペーパーホルダーセットを提供することができる。
【図面の簡単な説明】
【００１２】
【図１】本発明のロールペーパーホルダーの形態例説明図である。
【図２】本発明のロールペーパーホルダーの構成部品ないしは本発明のロールペーパーホルダーセットの構成物を説明する図である。
【図３】ペーパーカッターの軸受部説明図である。
【図４】ペーパー芯の支持用アームの形態例説明図である。
【図５】取付基台の説明図である。
【図６】ペーパーカッター軸受部の幅と取付基台軸部のサイズとの関係を説明する図である。
【図７】ペーパーカッターの取付基台への組み付け法を説明する図である。
【図８】ペーパーカッターの取付基台への組み付け法を説明する図である。
【図９】ペーパーカッターの取付基台への組み付け法を説明する図である。
【図１０】ペーパーカッターの取付基台への組み付け法を説明する図である。
【図１１】ペーパー芯の支持用アームを組み付ける方法を説明する図である。
【図１２】本発明のロールペーパーホルダーの形態例説明図である。
【図１３】本発明のロールペーパーホルダーの形態例説明図である。
【図１４】従来のロールペーパーホルダーの組み付けおよび取り付け法を説明する図である。
【発明を実施するための形態】
【００１３】
先ず、本発明のロールペーパーホルダーについて説明する。
【００１４】
本発明のロールペーパーホルダーは、ペーパーカッターと、ペーパー芯の支持用アームと、取付基台とを含み、前記ペーパーカッターが前記取付基台に設けられた軸部に回動可能に軸止されてなるロールペーパーホルダーであって、前記ペーパーカッターは、その端部が開放端となっている円弧状軸受部を有し、前記取付基台の軸部表面には、前記取付基台を、前記円弧状軸受部の開放端に嵌合した後、該軸受部内部側に回動させ、次いで軸受部内に押込むことにより、前記ペーパーカッターを軸止する溝部が形成されてなることを特徴とするものである。
【００１５】
以下、本発明のロールペーパーホルダーを図面を参照しつつ、説明するものとする。
【００１６】
図１および図２に例示するように、本発明のロールペーパーホルダー１は、ペーパーカッター２と、ペーパー芯の支持用アーム３と、取付基台４とを含むものである。
【００１７】
本発明のロールペーパーホルダー１は、図１に概略的に示すように、ペーパーカッター２が取付基台４に設けられた軸部５に回動可能に軸止されてなる構造を有している。
【００１８】
本発明のロールペーパーホルダー１において、ペーパーカッター２は、図２および図３に示すように、カッター部９と、その端部が開放端７１を成す円弧状軸受部７とを有するものである。
【００１９】
ペーパーカッター２のカッター部９の形状は特に制限されないが、図２および図３に示すように、湾曲状のものであってもよいし、直線状のものであってもよいし、Ｌ字状に屈曲したものであってもよい。また、カット部９の端部においてロールペーパーをカットすることから、その厚みが端部に向かって漸次薄くなることによって、端部方向に鋭利な形状を成すものであってもよい。
【００２０】
図２および図３に示すように、本発明のロールペーパーホルダー１において、ペーパーカッター２は、円弧状軸受部７を有している。図３（ａ）に示すように、円弧状軸受部７は、後述する取付基台４の軸部５に軸止し得るように、軸部５の断面直径に対応する仮想断面直径ｒを有しており、仮想断面直径ｒは、７〜２１ｍｍであることが好ましく、７〜１６ｍｍであることがより好ましく、７〜１１ｍｍであることがさらに好ましい。また、円弧状軸受部の開口部の幅ｗは、３〜２０ｍｍであることが好ましく、３〜１５ｍｍであることがより好ましく、５〜８ｍｍであることがさらに好ましい。図３（ｂ）に示すように、円弧状軸受部７の軸方向垂直断面において、円弧状軸受部７は、円弧状軸受部の取付部７２から開放端７１に向かって、軸部５の周囲を回転角αを成すように形成されてなるものである。回転角αは、１８１〜２７０°であることが好ましく、２１０〜２７０°であることがより好ましく、２２５〜２５５°であることがさらに好ましい。
【００２１】
ペーパーカッター２のサイズも特に制限されないが、縦８０〜１３０ｍｍ、横１１４〜１４０ｍｍ程度のサイズであることが好適である。本発明のロールペーパーホルダー１において、ペーパー芯の支持用アーム３の形状も特に制限されないが、図２に示すように、端部が開放端となっている支持部１０を有するものであることが適当である。支持部１０は、図２に示すように、Ｌ字状に屈曲しつつ端部が開放端となっているものであってもよいし、円弧状に屈曲しつつ端部が開放端となっているものであってもよい。
【００２２】
さらに、ペーパー芯の支持用アーム３は、図４（ａ）に示すように、ペーパー芯の支持用突起部２０を有するものでもよく、図４（ｂ）に示すように、ペーパー芯の支持用蛇腹部３０を有するものであってもよい。
【００２３】
本発明のロールペーパーホルダー１においては、ペーパー芯の支持用アーム３が、その端部が開放端となっている支持部１０を有するものである場合でも、本発明のロールペーパーホルダー１が、取付けが容易な構造を有するものであることから、開放端の向きを左右どちら向きにも容易に取り付けることができる。
【００２４】
また、ペーパー芯の支持用アーム３は、接触固定部１１を有するものが好適であり、接触固定部の螺子穴１２に螺子を螺子込むこと等により、支持用アーム３の壁面への固定を可能ならしめている。接触固定部１１は、後述する取付基台の固定部に固定される構造を有するものであることが好ましく、取付基台４の形状に応じて、取付基台４に嵌合し得る接触固定部形状を有していたり、接触固定部の螺子穴１２を後述する取付基台４の螺子穴と同軸的に設けることにより、取付基台４への固定と壁面への固定を同時に可能ならしめたものがより好ましい。
【００２５】
図２および図４に示す態様においては、接触固定部１１に設けられた螺子穴１２に螺子を螺子込むことにより、支持用アーム３を取付基台４へ固定すると同時に壁面への固定も可能ならしめており、このような構造とすることにより、本発明のロールペーパーホルダーの構成部品数を低減し、ロールペーパーホルダーの壁面への取り付け操作をより簡便に行うことができる。
【００２６】
本発明のロールペーパーホルダー１において、取付基台４は、図２に例示するように、ペーパーカッター４を回動可能に軸止するための軸部５を有するものであり、上記取付基台の軸部５は、上記取付基台を、上記円弧状軸受部７の開放端７１に嵌合した後、該軸受部７の内部側に回動させ、次いで軸受部７内に押込むことにより、上記ペーパーカッター２を軸止する溝部８が形成されてなるものである。
【００２７】
本発明のロールペーパーホルダー１において、取付基台４の軸部５は、軸方向の長さが３０〜１４０ｍｍであるものが適当であり、３０〜１２０ｍｍであるものがより適当であり、３０〜８０ｍｍであるものがさらに適当である。軸部５の軸方向に対して垂直な方向の長さ（断面直径）Ｒは、７〜２０ｍｍが好ましく、７〜１５ｍｍがより好ましく、７〜１０ｍｍがさらに好ましい。
【００２８】
本発明のロールペーパーホルダー１において、取付基台４は、図２および図５に示すように、ペーパー芯の支持用アーム３を固定する固定部６を有するものであることが好ましく、固定部６の形状は特に制限されないが、図１および図２に例示するように、ペーパー芯の支持用アーム３の接触固定部１１を、支持用アーム３に設けらた螺子穴１２と同軸的に螺子止めし得る螺子穴が設けられたものであるか、支持用アーム３を嵌合し得る形状を有するものが適当である。
【００２９】
そして、本発明のロールペーパーホルダー１において、取付基台４の軸部５表面には、図２および図５に例示するように、取付基台４を、上記円弧状軸受部７の開放端７１に嵌合した後、該軸受部７の内部側に回動させ、次いで軸受部７内に押込むことにより、上記ペーパーカッター２を軸止する溝部８が形成されてなる。
【００３０】
図２および図５に例示するように、溝部８は、軸部５表面の軸方向（軸に平行な方向）設けられてなるものが好ましい。溝部８が軸部５表面の軸方向に設けられることにより、後述するペーパーカッター２の軸止め操作を容易に行うことができる。
【００３１】
溝部８の長手方向長さは、ペーパーカッター２の円弧状軸受部７の開放端７１を嵌合し得る長さであれば特に制限されないが、３０〜１４０ｍｍであることが適当であり、３０〜１２０ｍｍであることがより適当であり、３０〜８０ｍｍであることがさらに適当である。
【００３２】
溝部８の縦方向長さ（長手方向に対して垂直方向の長さ）も、ペーパーカッター２の円弧状軸受部７の開放端７１を嵌合し得る長さ（円弧状軸受部７の開放端７１における厚み以下の長さ）であれば特に制限されないが、１．５〜１５ｍｍであることが適当であり、２．５〜１０ｍｍであることがより適当であり、３．５〜７ｍｍであることがさらに適当である。
【００３３】
また、図６（ｂ）に示すように、溝部８の深さｄも、ペーパーカッター２の円弧状軸受部７の開放端７１を嵌合し、円弧状軸受部７の内部側に回動させ、次いで軸受部内に押し込み得る深さであれば特に制限されないが、１．５〜１０ｍｍであることが適当であり、１．５〜５ｍｍであることがより適当であり、２．５〜５ｍｍであることがさらに適当である。
【００３４】
上述したように、ペーパーカッター２の円弧状軸受部７は、幅ｗの開口部を有しており（図６（ａ）参照）、断面直径Ｒの軸部５には、深さｄの溝部８が設けられる（図６（ｂ）参照）。そして、取付基台４を円弧状軸受部７の開放端７１に嵌合した後、軸受部内部側に回動させ（図６（ｃ）参照）、次いで軸受部内に押込むことによりペーパーカッター２を取付基台４の軸部５に軸止めするためには、開口部幅ｗ、溝部直径Ｒおよび溝部深さｄが以下の関係式を満たすことが好適である。
【００３５】
すなわち、取付基台４を円弧状軸受部７の開放端７１に嵌合した後、軸受部内部側に回動させ（図６（ｃ）参照）、次いで軸受部７内に押込むためには、
Ｒ−ｄ≦ｗ
という関係を満たすことが適当であり、軸受部７内に押し込んだ取付基台４の軸部５が軸受部７から外れずにペーパーカッター２を軸止するためには、
ｗ＜Ｒ
という関係を満たすことが適当である。
【００３６】
本発明のロールペーパーホルダーにおいて、ぺーパーカッター、ペーパー芯の支持用アームおよび取付基台は、金属製のものであってもよいし、樹脂製のものであってもよいが、本発明のロールペーパーホルダーは、図２〜図４に例示するように、ロールペーパーホルダーの各構成物を比較的単純な形状とすることができるものであることから、特に金属製のものであることが好適であり、ペーパーカッターとペーパー芯の支持用アームが金属製のものであることがより好適である。
【００３７】
図１〜図２等に示すように、本発明のロールペーパーホルダー１は、ペーパーカッター２が取付基台４に設けられた軸部５に回動可能に軸止されてなる構造を有しており、その使用時において、ロールペーパー芯を支持用アーム３に挿入した状態でペーパーを引き出すと、ペーパーカッター２がロールペーパーに接離しつつ揺動して、所望位置まで引き出したロールペーパーをカッター部９でカットし得る構造を有している。
【００３８】
本発明のロールペーパーホルダーは、上記ペーパーカッターと、ペーパー芯の支持用アームと、取付基台とを含むことにより、構成部品数を低減することができるとともに、組み付けおよび取り付けが容易なロールペーパーホルダーを提供することができる。
【００３９】
以下、本発明のロールペーパーホルダーの組み付け法および取り付け法について、図面を参照しつつ、説明する。
【００４０】
図２に示すように、本発明のロールペーパーホルダー１は、ペーパーカッター２と、ペーパー芯の支持用アーム３と、取付基台４とを含むものであって、これらを組み付けてなるものである。
【００４１】
本発明のロールペーパーホルダーの組み付け時においては、取付基台４の軸部５表面に設けられた溝部８を、円弧状軸受部７の開放端７１に嵌合した後、該軸受部７内部側に回動させ、次いで軸受部７内に押込むことにより、ペーパーカッター２を取付基台４に軸止する。
【００４２】
図７は、取付基台４を、ペーパーカッター２を構成する円弧状軸受部７の開放端７１に嵌合する例を示すものである。図７（ａ）は、嵌合時における斜視断面図、図７（ｂ）は嵌合時における横断面図であり、図７に示す例においては、ペーパーカッター２の円弧状軸受部７の開放端７１に対し、取付基台４の溝部８を引っ掛けるようにして嵌め合わせている。
【００４３】
図８は、上記のように取付基台４の軸部５に設けられた溝部８を円弧状軸受部７の開放端７１に対して嵌合した後、取付基台４を、軸受部７の内部側に回動させる例を示すものである。図８（ａ）は回動時における斜視断面図、図８（ｂ）は回動時における横断面図であり、図８に示す例においては、取付基台４を、円弧状軸受部７の開放端７１を回転軸として軸受部７の内部側（図の上側）に回動させている。
【００４４】
図９は、上記のように取付基台４を軸受部７の内部側に回動させた後、軸受部７内に押込む例を示すものである。図９（ａ）は押し込み時における斜視断面図、図９（ｂ）は押し込み時における横断面図であり、図９に示す例においては、取付基台４を図右側の軸受部７内に押し込んでいる。
【００４５】
上述したように、ペーパーカッター２の軸受部７における仮想断面直径は、取付基台４の軸部５の軸方向に垂直な断面直径と対応するものであることから、上記のように取付基台４を軸受部７の内部側に押込むことにより、図１０等に示すように、取付基台４の軸部５を回転軸として、ペーパーカッター２の回動が可能となる。そして、取付基台４によりペーパーカッター２を壁面に取り付けた状態においては、ペーパーカッター２の回動範囲において、円弧状軸受部７の開放端７１が取付基台４の軸部５表面（円筒状軸部表面）と常に対峙することから、ペーパーカッター２の組み付け後において、軸部５を回転軸とするペーパーカッター２の回動によって、取付基台４の軸部５からペーパーカッター２が外れることはない。
【００４６】
なお、図１０（ａ）は取付基台４を軸受部７内へ押し込んだ後における斜視断面図、図１０（ｂ）は取付基台４を軸受部７内に押し込んだ後における横断面図である。
【００４７】
図１１は、取付基台４に対するペーパー芯の支持用アーム３の固定例を示す斜視断面図であり、図１１に示す例においては、予め所定形状に成形されてなる取付基台４の固定部６に対し、該固定部６に対応する形状に成形されてなる支持用アーム３の接触固定部１１を嵌め込むことにより両者を固定して、ロールペーパーホルダー１を成している。
【００４８】
また、図１１に示す態様においては、ロールペーパーホルダー１の取り付け時においては、螺子穴１２に螺子を螺子込むことにより壁面への取り付けが可能となる。
【００４９】
図１１に示す態様において、取付基台４の固定部６と支持用アーム３の接触固定部１１の形状を互いに嵌合する形状とすることなく、単に平板状としつつ、取り付け時において両者を接触させ、螺子穴１２に螺子を螺子込むことにより、取付基台４と支持用アーム３の固定と、壁面への取り付けを同時に行ってもよい。
【００５０】
図１２および図１３は、本発明のロールペーパーホルダーの別態様を説明する図である。
【００５１】
図１２に示す態様においては、図１等に示す態様とは、支持用アーム３の形状や、取付基台４の固定部６の形状や、軸部８の長さ等が異なっており、支持用アーム３を取付基台４に嵌め合わせてロールペーパーホルダーをなし、その上で螺子穴１２により壁面に螺子止めし得る構造を有している。
【００５２】
また、図１３に示す態様は、図１等に示す態様とは、取付基台４を、軸止具４ａと取付具４ｂに分割した点が最も異なっており、軸止具４ａにペーパーカッター２を軸止めした上で、この軸止物と支持用アーム３とを取付具４ｂに取り付け、取付具４ｂにより壁面に螺子止め固定し得る構造を有している。
【００５３】
本発明のロールペーパーホルダーによれば、ペーパーカッターを壁面に固定する取付具としての機能を有する取付基台に、さらにペーパーカッターを軸止するための軸部を設けるとともに、該軸部において、取付基台をペーパーカッターの端部に設けられた円弧状軸受部の開放端に嵌合した後、該軸受部内部側に回動させ、次いで軸受部内に押込んで、ペーパーカッターを軸止する溝部を設けることにより、構成部品数が少なく、組み付けおよび取り付けが容易なロールペーパーホルダーを得ることができる。
【００５４】
次に、本発明のロールペーパーホルダー組立セットについて説明する。
【００５５】
本発明のロールペーパーホルダー組立セットは、ぺーパーカッターと、ペーパー芯の支持用アームと、取付基台とを含むロールペーパーホルダー組立セットであって、前記ペーパーカッターは、その端部が開放端となっている円弧状軸受部を有し、前記取付基台は、前記ペーパーカッターを回動可能に軸止するための軸部と前記支持用アームを固定するための固定部とを有するとともに、前記取付基台の軸部表面には、前記取付基台を、前記円弧状軸受部の開放端に嵌合した後、該軸受部内部側に回動させ、次いで軸受部内に押込むことにより、前記ペーパーカッターを軸止する溝部が形成されてなることを特徴とするものである。
【００５６】
ぺーパーカッター、ペーパー芯の支持用アームおよび取付基台の態様としては、上述したものと同様のものを挙げることができる。
【００５７】
また、ぺーパーカッター、ペーパー芯の支持用アームおよび取付基台の組み付け方法および取り付け方法も上述した方法と同様である。
【００５８】
本発明のロールペーパーホルダー組立セットは、組み付けおよび取り付けが容易なぺーパーカッター、ペーパー芯の支持用アームおよび取付基台とを含むものであることから、ロールペーパーホルダーの壁面への取り付けを容易に行うことができる。
【００５９】
また、本発明のロールペーパーホルダー組立セットは、上記ペーパーカッターが取付基台に対して回動可能に軸止されることにより、仮組された状態にあるものが好適である。上記ペーパーカッターが取付基台に対して仮組みされたものであることにより、ロールペーパーホルダーの取り付け時の作業をより容易にすることができる。
【００６０】
また、本発明のロールペーパーホルダー組立セットにおいて、ペーパー芯の支持用アームは、図２等に示すように、端部が開放端となっている支持部１０を有するものであることが好適であり、本発明のロールペーパーホルダー組立セットは、このような端部が開放端となっているアーム部１０を有する支持用アーム３を含むものであっても、取り付け時に左右反転することにより、その開放端を左右何れの向きにも容易に配置して取り付けることができる。
【００６１】
本発明のロールペーパーホルダー組立セットによれば、ペーパーカッターを壁面に固定する取付具としての機能を有する取付基台に、さらにペーパーカッターを軸止するための軸部を設けるとともに、該軸部において、取付基台をペーパーカッターの端部に設けられた円弧状軸受部の開放端に嵌合した後、該軸受部内部側に回動させ、次いで軸受部内に押込むことにより、ペーパーカッターを軸止する溝部を設けることにより、構成物数が少なく、組み付けおよび取り付けが容易なロールペーパーホルダー組立セットを得ることができる。
【符号の説明】
【００６２】
１    ロールペーパーホルダー
２    ペーパーカッター
３    ペーパー芯の支持用アーム
４    取付基台
５    軸部
６    固定部
７    円弧状軸受部
８    溝部
９    カッター部
１０    支持部
１１    接触固定部
１２    螺子穴
２０    支持用突起部
３０    支持用蛇腹部
１０１    ロールペーパーホルダー
１０２    ペーパーカッター
１０３    ペーパー芯の支持用アーム
１０５    軸部
１０６    固定具
１０７    軸受部
【図１】
2010184019.tif 000003
【図２】
2010184019.tif 000004
【図３】
2010184019.tif 000005
【図４】
2010184019.tif 000006
【図５】
2010184019.tif 000007
【図６】
2010184019.tif 000008
【図７】
2010184019.tif 000009
【図８】
2010184019.tif 000010
【図９】
2010184019.tif 000011
【図１０】
2010184019.tif 000012
【図１１】
2010184019.tif 000013
【図１２】
2010184019.tif 000014
【図１３】
2010184019.tif 000015
【図１４】
2010184019.tif 000016